(57)【要約】【課題】スピーカの駆動範囲が大きくなった時においても、錦糸線が暴れることがなく、プラス側とマイナス側の錦糸線のショートおよび錦糸線と振動板との接触による異音の発生を防止すると共に、錦糸線への負担を軽減し、切断事故の発生を防止することができるスピーカを提供する。【解決手段】給電端子６とボイスコイル７間を電気的に接続するための錦糸線９を備えたスピーカにおいて、プラス側とマイナス側の両錦糸線９へマグネット１４を配置すると共に、錦糸線９と接触する虞のある振動板８の側面へマグネット１５を配置し、マグネット１４および１５の反発力により両錦糸線９間のショートおよび錦糸線９と振動板８の接触を防止する。【選択図】        図１
2005012298.tif 000002
【特許請求の範囲】
【請求項１】
スピーカフレームへ装着した給電端子と、磁気ギャップへ挿入したボイスコイルと、スピーカフレームへ外周縁部を結合すると共にボイスコイルへ内周縁部を結合した振動板と、給電端子とボイスコイル間を電気的に接続するための錦糸線とを備えたスピーカにおいて、
プラス側とマイナス側の両錦糸線へマグネットを配置し、マグネットの反発力により両錦糸線間のショートを防止するように構成したことを特徴とするスピーカ。
【請求項２】
スピーカフレームへ装着した給電端子と、磁気ギャップへ挿入したボイスコイルと、スピーカフレームへ外周縁部を結合すると共にボイスコイルへ内周縁部を結合した振動板と、給電端子とボイスコイル間を電気的に接続するための錦糸線とを備えたスピーカにおいて、
プラス側とマイナス側の両錦糸線へマグネットを配置すると共に錦糸線と接触する虞のある振動板の側面へマグネットを配置し、マグネットの反発力により両錦糸線間のショートおよび錦糸線と振動板の接触を防止するように構成したことを特徴とするスピーカ。
【請求項３】
上記マグネットは、異方化配向磁界をもったマグネットであることを特徴とする請求項１又は２記載のスピーカ。
【請求項４】
上記プラス側とマイナス側の両錦糸線へ配置したマグネットは、錦糸線を挿通するための中空部を有する管状に形成したことを特徴とする請求項１から３のうちいずれか一項記載のスピーカ。
【請求項５】
上記プラス側とマイナス側の両錦糸線へ配置したマグネットは、連結部を介して一体的に形成したことを特徴とする請求項１から４のうちいずれか一項記載のスピーカ。
【発明の詳細な説明】
【０００１】
【発明の属する技術分野】
本発明は、各種音響機器に使用するスピーカに関する。
【０００２】
【従来の技術】
従来のスピーカについて図４に示すスピーカの半断面図にもとづき説明する。
図４において、１は磁気回路で、ボトムプレート２と、マグネット３と、トッププレート４とによって構成している。この磁気回路１の上部にはスピーカフレーム５が結合され、スピーカフレーム５の外周側面には、給電端子６が装着されている。７はボイスコイルで、磁気ギャップ１ａに挿入されたコイル部７ａを備えている。８はコーン状の振動板である。
【０００３】
９は可撓性導体からなる錦糸線であって、その一端部を給電端子６へ電気的に接続すると共に、他端部をボイスコイル７のリード線（図示しない）と振動板８に設けた接続部１０においてハンダ付けを行ない電気的に接続し、給電端子６に入力されたオーディオ信号をボイスコイル７へ導くように配線している。１１はボイスコイル７を支持するダンパー、１２は振動板８を支持するエッジ、１３はエッジ１２を押さえて固定するガスケットである。
【０００４】
図４のように構成した従来のスピーカでは、錦糸線９を用いて給電端子６とボイスコイル７との間を電気的に接続する場合、錦糸線９に振動板８の振動に見合ったたるみ寸法を持たせ、アーチを描くようにフォーミング形状を調整しながら接続を行なっていた。（例えば、特許文献１参照）
【０００５】
【特許文献１】
特開平４−３３４３００号公報（第２頁−３頁、第１図）
【０００６】
【発明が解決しようとする課題】
しかしながら、図４に示す従来のスピーカは、上述したように、給電端子６とボイスコイル７との間を電気的に接続するための錦糸線９は、スピーカ駆動時における突っ張りを回避するために、配線寸法に余裕を設け、振動板８の振動に見合ったたるみを付けて形状のフォーミングを行なう必要があった。
【０００７】
したがって、従来のこのような錦糸線９の構成では、振動板８の振動範囲が大きくなった時に錦糸線９の暴れが生じ、プラス側とマイナス側の錦糸線９が接触してショートが発生するという問題点があった。また、この錦糸線９の暴れによって、錦糸線９が振動板８の背面側へ接触して異音を発生するという問題点があった。さらに、錦糸線９が暴れることにより、錦糸線９へ負担がかかり、給電端子６との接続部分で切断事故が生じやすくなるという問題点があった。
【０００８】
本発明は、従来の技術の有するこのような問題点に鑑みてなされたものであり、その目的とするところは、スピーカの駆動範囲が大きくなった時においても、錦糸線が暴れることがなく、プラス側とマイナス側の錦糸線のショートおよび錦糸線と振動板との接触による異音の発生を防止すると共に、錦糸線への負担を軽減し、切断事故の発生を防止することができるスピーカを提供しようとするものである。
【０００９】
【課題を解決するための手段】
上記目的を達成するために、本発明におけるスピーカは、スピーカフレームへ装着した給電端子と、磁気ギャップへ挿入したボイスコイルと、スピーカフレームへ外周縁部を結合すると共にボイスコイルへ内周縁部を結合した振動板と、給電端子とボイスコイル間を電気的に接続するための錦糸線とを備えたスピーカにおいて、プラス側とマイナス側の両錦糸線へマグネットを配置し、マグネットの反発力により両錦糸線間のショートを防止するように構成したものである。
【００１０】
また、スピーカフレームへ装着した給電端子と、磁気ギャップへ挿入したボイスコイルと、スピーカフレームへ外周縁部を結合すると共にボイスコイルへ内周縁部を結合した振動板と、給電端子とボイスコイル間を電気的に接続するための錦糸線とを備えたスピーカにおいて、プラス側とマイナス側の両錦糸線へマグネットを配置すると共に錦糸線と接触する虞のある振動板の側面へマグネットを配置し、マグネットの反発力により両錦糸線間のショートおよび錦糸線と振動板の接触を防止するように構成したものである。
【００１１】
また、上記マグネットは、異方化配向磁界をもったマグネットであることが効果的である。
【００１２】
さらに、上記プラス側とマイナス側の両錦糸線へ配置したマグネットは、錦糸線を挿通するための中空部を有する管状に形成したものであることが好ましい。
【００１３】
また、上記プラス側とマイナス側の両錦糸線へ配置したマグネットは、連結部を介して一体的に形成したものであることが好ましい。
【００１４】
【発明の実施の形態】
発明の実施の形態を実施例にもとづき図面を参照して説明する。
図１は、本発明に係るスピーカの一実施の形態を示す半断面図である。図２（ａ）〜（ｂ）は、図１のスピーカに使用する異方化配向を施したプラスチックマグネットの第１および第２の実施の形態を示す斜視図である。図３（ａ）〜（ｃ）は、異方化配向磁界と極位置の関係を示す模式図である。
なお、図４に示した従来例と同一部分は、同一符号を付し、その共通するの箇所の詳細な説明は、重複するため省略する。
【００１５】
図１に示す実施例は、錦糸線９側と振動板８側に、異方化配向磁界をもったプラスチックマグネット１４とプラスチックマグネット１５をそれぞれ配置したことを特徴としている。
まず、錦糸線９側に配置したプラスチックマグネット１４について説明する。このプラスチックマグネット１４は、錦糸線９が振動板８の背面側と接触する虞のある位置で、かつ錦糸線９自体の動きに影響を与えない場所に装着している。また、このプラスチックマグネット１４は、プラス側とマイナス側の両方の錦糸線９に装着している。
【００１６】
上記のプラスチックマグネット１４に異方化配向を施す方法としては、例えば、図３（ａ）〜（ｃ）に示すような異方化技術を用いて異方化配向磁界を形成している。
図３（ａ）の場合は、Ｎ／Ｓ極の作用面積を変えることで、配向磁界を絞り、使用作用面の磁束密度を増加させ、異方化配向磁界を形成する。（集束配向）
また、図３（ｂ）の場合は、集束密度をさらに増加させた作用面の主極Ｎに対し、対極Ｓを側面に配し、異方化配向磁界を形成する。（側面集束配向）
さらに、図３（ｃ）の場合は、同一面に同心円状にＮ／Ｓ極を配し、マグネット内で閉磁路（同心極閉磁路）を構成し、異方化配向磁界を形成する。（閉磁路型集束配向）
【００１７】
プラスチックマグネット１４は、上記のような異方化技術を用いて、図２（ａ）に示すように、管状に形成されている。管状に形成されたプラスチックマグネット１４は、その中心部に設けた中空部１４ａへ錦糸線９を挿通する。この時、プラス側とマイナス側の錦糸線９へ装着した２つのプラスチックマグネット１４は、対向する面の極位置を互いに反発するように配置する。
【００１８】
以上のように、プラス側とマイナス側の錦糸線９へプラスチックマグネット１４を互いに反発するように装着させたことにより、振動板８の振動が大きくなり、錦糸線９が大きく振幅した場合でも、プラス側とマイナス側へ装着したプラスチックマグネット１４の反発力により、両錦糸線９の接触を防ぎ、錦糸線９間のショートを防止することができ、信頼性の向上を図ることができる。
【００１９】
次に、振動板８側へ装着するプラスチックマグネット１５について説明する。
プラスチックマグネット１５は、図３（ａ）〜（ｃ）に示すような異方化技術を用いて平板状に形成した部材に、異方化配向を施している。この異方化配向磁界をもったプラスチックマグネット１５は、振動板８の背面側の錦糸線９と接触する虞のある場所へ貼り付けている。この時、プラスチックマグネット１５は、錦糸線９へ装着したプラスチックマグネット１４と対向する面の極位置を互いに反発するように配置して貼り付けを行なっている。
【００２０】
以上のようにプラスチックマグネット１５を振動板８へ装着することにより、振動板８の振動範囲が大きくなった時に、錦糸線９側のプラスチックマグネット１４と反発し合うことによって、錦糸線９の暴れを防止することができるため、錦糸線９と振動板８との接触を回避することができ、異音の発生を防止することができる効果がある。また、錦糸線９の暴れを押さえることができるため、錦糸線９への負担が軽減され、給電端子６との接続部分における切断事故を防ぐことができ、信頼性を向上させることができる。
【００２１】
図２（ｂ）は、錦糸線９へ装着する異方化配向磁界をもったプラスチックマグネットの他の実施例を示すものである。
この図２（ｂ）のプラスチックマグネット１６は、プラス側とマイナス側の錦糸線９を挿通する中空部１６ｃおよび１６ｄを形成した一対の管状マグネット部１６ａおよび１６ｂを設けると共に、この一対の管状マグネット部１６ａおよび１６ｂとの間に連結部１６ｅを設けて一対の管状マグネット部１６ａと１６ｂを一体的に構成している。
【００２２】
以上のように、プラス側とマイナス側の錦糸線９を挿通するプラスチックマグネット１６を一体的に形成したことにより、プラス側とマイナス側の両錦糸線９が一定の間隔を置いて同じ動きをするため、両錦糸線９の接触をなくすことができ、ショートの発生を防止することができ、信頼性の向上を図ることができる。
【００２３】
【発明の効果】
本発明は、以上説明したように構成されているので、スピーカの駆動範囲が大きくなった時においても、錦糸線が暴れることがなく、プラス側とマイナス側の錦糸線のショートおよび錦糸線と振動板との接触による異音の発生を防止することができると共に、錦糸線への負担を軽減し、切断事故の発生を防止することができ、信頼性の向上を図ることができる。
【図面の簡単な説明】
【図１】本発明に係るスピーカの一実施の形態を示す半断面図である。
【図２】図１に示すスピーカに用いる異方化配向を施したプラスチックマグネットの実施の形態を示す斜視図である。
【図３】異方化配向磁界と極位置の関係を示す模式図である。
【図４】従来のスピーカを示す半断面図である。
【符号の説明】
１      磁気回路
１ａ    磁気ギャップ
２      ボトムプレート
３      マグネット
４      トッププレート
５      スピーカフレーム
６      給電端子
７      ボイスコイル
７ａ    コイル部
８      振動板
９      錦糸線
１０    接続部
１１    ダンパー
１２    エッジ
１３    ガスケット
１４、１５、１６      プラスチックマグネット
【図１】
2005012298.tif 000003
【図２】
2005012298.tif 000004
【図３】
2005012298.tif 000005
【図４】
2005012298.tif 000006